(57)【要約】【課題】処理負荷の増大および受信感度の低下を抑制しつつ、車両が現在とは異なる放送エリアに進入したときに速やかにプリセットリストの内容を変更できるようにした「デジタル放送受信装置およびプリセット処理間隔設定方法」を提供する。【解決手段】デジタル放送受信装置１は、仮リストを生成し、仮リストに基づいて本リストを更新するプリセット処理を実行するプリセット処理実行部２１と、各リストの内容とが同じである場合は、仮リストの各チャンネルの受信品質値の平均値と、仮リストの内容と同じ内容の過去のプリセットリストの受信品質値の平均値とを比較し、仮リストに係る平均値の劣化が大きいほど、プリセット処理を実行するまでの間隔を短く設定するプリセット処理間隔設定部２２とを備え、車両が現在の放送エリアとは異なる放送エリアに近づいていないときは間隔を長くし、近づくほど間隔を短くするようにしている。【選択図】図１
2019186633.tif 000002
【特許請求の範囲】
【請求項１】
移動体に搭載されるデジタル放送受信装置であって、
受信可能なチャンネルをスキャンしてプリセットリストである仮リストを生成し、プリセットメモリに記憶されたプリセットリストである本リストを前記仮リストに基づいて更新するプリセット処理を、間隔をあけて実行するプリセット処理部と、
前記プリセット処理部により前記仮リストが生成された際に、前記仮リストの内容と前記本リストの内容とが同じである場合は、前記仮リストが生成されたときの各チャンネルの受信品質値の平均値と、過去に前記仮リストの内容と同じ内容のプリセットリストが生成されたときの各チャンネルの受信品質値の平均値とを比較し、過去に生成されたプリセットリストに係る平均値に対して前記仮リストに係る平均値の劣化が大きいほど、前記プリセット処理部が次に前記プリセット処理を実行するまでの間隔を短く設定するプリセット処理間隔設定部と、
を備えることを特徴とするデジタル放送受信装置。
【請求項２】
前記プリセット処理間隔設定部は、
前記プリセット処理部により前記仮リストが生成された際に、前記仮リストの内容と前記本リストの内容とが同じである場合は、前記仮リストの内容と同じ内容の過去に生成されたプリセットリストのうち、最初に生成されたプリセットに係る平均値と、前記仮リストに係る平均値とを比較する
ことを特徴とする請求項１に記載のデジタル放送受信装置。
【請求項３】
前記プリセット処理間隔設定部は、
前記プリセット処理部により前記仮リストが生成された際に、前記仮リストの内容と前記本リストの内容とが異なる場合は、前記プリセット処理部が次に前記プリセット処理を実行するまでの間隔を、各リストの内容が同一の場合に設定可能な値の範囲の下限値以下の値とする
ことを特徴とする請求項１に記載のデジタル放送受信装置。
【請求項４】
移動体に搭載され、受信可能なチャンネルをスキャンしてプリセットリストである仮リストを生成し、プリセットメモリに記憶されたプリセットリストである本リストを前記仮リストに基づいて更新するプリセット処理を、間隔をあけて実行するプリセット処理部を備えるデジタル放送受信装置によるプリセット処理間隔設定方法であって、
前記デジタル放送受信装置のプリセット処理間隔設定部が、前記プリセット処理部により前記仮リストが生成された際に、前記仮リストの内容と前記本リストの内容とが同じである場合は、前記仮リストが生成されたときの各チャンネルの受信品質値の平均値と、過去に前記仮リストの内容と同じ内容のプリセットリストが生成されたときの各チャンネルの受信品質値の平均値とを比較するステップと、
前記デジタル放送受信装置の前記プリセット処理間隔設定部が、比較結果に基づいて、過去に生成されたプリセットリストに係る平均値に対して前記仮リストに係る平均値の劣化が大きいほど、前記プリセット処理部が次に前記プリセット処理を実行するまでの間隔を短く設定するステップと、
を含むことを特徴とするプリセット処理間隔設定方法。
【発明の詳細な説明】
【技術分野】
【０００１】
本発明は、デジタル放送受信装置およびプリセット処理間隔設定方法に関し、特に、移動体に搭載され、間隔をあけてプリセット処理を実行するデジタル放送受信装置および当該デジタル放送受信装置によるプリセット処理間隔設定方法に用いて好適なものである。
【背景技術】
【０００２】
従来、受信可能なチャンネルをスキャンし、スキャン結果に基づいてプリセットリストを登録するプリセット処理を実行するデジタル放送受信装置が存在する。デジタル放送受信装置がプリセット処理を実行するタイミングについては、様々なものが提案されている。
【０００３】
例えば、特許文献１に係る車載のデジタル放送受信装置（放送受信装置）は、前回プリセット処理を実行した位置（放送局のサーチが実施された位置）から現在位置までの離間距離を算出し、算出した離間距離が所定の閾値以上の場合、直ちにプリセット処理（放送局のサーチ）を実行する。また、特許文献１に係るデジタル放送受信装置は、離間距離が所定の閾値未満の場合は、プリセット処理を全く実行しない、または、頻度を下げて実行する。
【０００４】
また例えば、特許文献２に係る車載のデジタル放送受信装置（移動体用放送受信装置）は、前回プリセット処理を実行した位置（放送局リストを更新した地点）からの車両の移動距離が閾値以上となったときにプリセット処理（リストアップデート）を実行する。
【０００５】
また例えば、特許文献３に係るデジタル放送受信装置は、基本的にプリセット処理（裏サーチ）を継続して繰り返し実行する。ただし、特許文献３には、所定時間が経過する度にプリセット処理を実行することも可能である旨、記載されている（段落００７５）。
【０００６】
また例えば、特許文献４に係るデジタル放送受信装置（放送受信装置）は、前回のプリセット処理（サーチ処理）の結果と今回のプリセット処理の結果とを比較し、受信可能なチャンネル（放送局）に変化があった場合は、プリセット処理の割合を大きくする。すなわち、特許文献４では、デジタル放送受信装置のプリセット処理部（サーチ処理部）が、プリセット処理とＥＰＧデータ受信処理とのいずれか一方の処理を択一的に実行する構成となっており、前回のプリセット処理時と今回のプリセット処理時とで受信可能なチャンネルに変化があった場合にプリセット処理の割合が大きくされる結果、チャンネルに変化があったときは、より高い頻度でプリセット処理が実行されることになる。
【先行技術文献】
【特許文献】
【０００７】
【特許文献１】国際公開第２０１３／０８４２６４号
【特許文献２】特開２０１０−０２８３２４号公報
【特許文献３】特開２０１２−１３８７８８号公報
【特許文献４】特開２０１５−１１５９０６号公報
【発明の概要】
【発明が解決しようとする課題】
【０００８】
ここで、デジタル放送受信装置により受信可能なチャンネル（＝プリセット処理により生成されるプリセットリストに記録されたチャンネル）は、基本的には、放送エリアによって異なっている。従って、車両に搭載されたデジタル放送受信装置では、車両が一の放送エリアから他の放送エリア（当該一の放送エリアと当該他の放送エリアとの重複領域を含む。）に進入したときに、登録されたプリセットリストの内容が、速やかに当該他の放送エリアで受信可能なチャンネルが記録されたプリセットリストの内容となることが望ましい。
【０００９】
しかしながら、特許文献１に係るデジタル放送受信装置は、基本的には前回プリセット処理を実行した位置から現在位置までの離間距離が所定の閾値以上の場合にプリセット処理を実行する。このため、一の放送エリアに位置していた車両が他の放送エリアに進入した後、しばらくしてからプリセット処理が実行される可能性がある。従って、必ずしも車両が当該他の放送エリアに進入したときに当該他の放送エリアに係るプリセットリストへと速やかに変更されるとは限らず、その点で課題がある。
【００１０】
特許文献１において、所定の閾値を短く設定するか、または、離間距離が所定の閾値未満の場合であっても高い頻度でプリセット処理を実行することにより上記課題を解決することが可能であるが、この場合、車両が走行している間、プリセット処理が常に頻繁に実行されることになり、ＣＰＵ等の処理リソースがプリセット処理に頻繁に消費されることになり、処理負荷が大きくなってしまう。さらに、プリセット処理を行っていないときは複数台（例えば４台）のアンテナを利用してデジタル放送の受信を行い、プリセット処理を行っているときは一部（例えば２台）のアンテナをプリセット処理に利用するデジタル放送受信装置に特許文献１の技術を適用した場合、リセット処理が常に頻繁に実行されることになると、受信感度の低下を招いてしまう。以上の問題は、特許文献２に係るデジタル放送受信装置についても同様に生じる。
【００１１】
また、特許文献３に係るデジタル放送受信装置のように、プリセット処理を継続して繰り返して実行する構成の場合、一の放送エリアに位置していた車両が他の放送エリアに進入したときに、速やかに当該他の放送エリアに係るプリセットリストへと変更することが可能である。しかしながら、この構成の場合、特許文献１と同様、処理負荷の増大、および、所定の場合には受信感度の低下を招いてしまう。
【００１２】
上述したように、特許文献３には、所定時間が経過する度にプリセット処理を実行することも可能である旨記載されている。このように、プリセット処理を定期的に実行する構成の場合、プリセット処理が実行される間隔を短くすることにより一の放送エリアに位置していた車両が他の放送エリアに進入したときに、速やかに当該他の放送エリアに係るプリセットリストの内容へと変更することが可能となる。しかしながら、この場合、プリセット処理が常に頻繁に実行されるため、プリセット処理を継続して繰り返し実行する場合と同様、処理負荷の増大、および、所定の場合には受信感度の低下を招いてしまう。なお、プリセット処理の間隔を長くすることによって、処理負荷の増大および受信感度の低下を改善することが可能である。しかしながら、プリセット処理の間隔を長くすればするほど、一の放送エリアに位置していた車両が他の放送エリアに進入したときに、速やかに当該他の放送エリアに係るプリセットリストの内容へと変更することが困難となってしまう。
【００１３】
また、特許文献４に係るデジタル放送受信装置は、前回のプリセット処理の結果と今回のプリセット処理の結果とに変化があった場合に初めて高い頻度でプリセット処理を実行するようにしている。ここで、前回のプリセット処理の結果と今回のプリセット処理の結果とに変化があった時点では、既に一の放送エリアに位置していた車両が他の放送エリアに進入した後であり、このような時点で高い頻度でプリセット処理を実行するようにしても、車両が当該他の放送エリアに進入したときに当該他の放送エリアに係るプリセットリストへと速やかに変更されるとは限らず、その点で課題がある。
【００１４】
本発明は、このような問題を解決するために成されたものであり、処理負荷の増大および選択中のチャンネルの受信感度の低下を抑制しつつ、一の放送エリアに位置していた車両が他の放送エリアに進入したときに速やかに当該他の放送エリアに係るプリセットリストの内容を変更できるようにすることを目的とする。
【課題を解決するための手段】
【００１５】
上記した課題を解決するために、本発明のデジタル放送受信装置は、受信可能なチャンネルをスキャンしてプリセットリストである仮リストを生成し、プリセットメモリに記憶されたプリセットリストである本リストを仮リストに基づいて更新するプリセット処理を、間隔をあけて実行する。そして、本発明のデジタル放送受信装置は、プリセット処理で仮リストが生成された際に、仮リストの内容と本リストの内容とが同じである場合は、仮リストが生成されたときの各チャンネルの受信品質値の平均値と、過去に仮リストの内容と同じ内容のプリセットリストが生成されたときの各チャンネルの受信品質値の平均値とを比較し、過去に生成されたプリセットリストに係る平均値に対して仮リストに係る平均値の劣化が大きいほど、次にプリセット処理を実行するまでの間隔を短く設定する。
【発明の効果】
【００１６】
上記のように構成した本発明によれば、同一の内容のプリセットリストが連続して生成されている状況において、プリセットリストが生成されたときの各チャンネルの受信品質値に大きな劣化が生じていない場合は、次にプリセット処理を実行するまでの間隔が比較的長い間隔に設定される。一方、当状況において、プリセットリストが生成されたときの各チャンネルの受信品質値に劣化が生じている場合は、次にプリセット処理を実行するまでの間隔が比較的短い間隔に設定される。
【００１７】
ここで、同一の内容のプリセットリストが連続して生成されている状況において、各チャンネルの受信品質値の平均値に劣化が生じていない場合は、デジタル放送受信装置を搭載した移動体が同じ放送エリア内の安定的に各チャンネルを受信可能な領域を移動している場合のように、プリセットリストの内容を更新する必要がない状況に該当する。従って、比較的長い間隔でプリセット処理を実行することにより、処理負荷の増大を抑制でき、また、放送の受信およびプリセット処理にアンテナを共用している場合には、選択中のチャンネルの受信感度の低下を抑制することができる。
【００１８】
一方、同一の内容のプリセットリストが連続して生成されている状況において、各チャンネルの受信品質値の平均値に劣化が生じている場合は、デジタル放送受信装置を搭載した移動体が現在の放送エリアから別の放送エリアに近づいている場合のように、プリセットリストの内容を更新する必要性が近づいている状況に該当する。このため、比較的短い間隔でプリセット処理を実行することにより、移動体が実際に別の放送エリアへ移動した場合に、移動後から間もないタイミングでプリセット処理を実行し、当該別の放送エリアに係るプリセットリストの内容へと速やかに更新することができる。
【００１９】
以上のように、本発明によれば、処理負荷の増大を抑制すると共に選択中のチャンネルの受信感度が低下するのを抑制しつつ、移動体が別の放送エリアへ移動したときには当該別の放送エリアに係るプリセットリストの内容へと速やかに変更することができる。
【図面の簡単な説明】
【００２０】
【図１】本発明の一実施形態に係るデジタル放送受信装置の構成例を示す図である。
【図２】本発明の一実施形態に係るプリセット処理間隔設定部が設定する間隔の具体例の説明に利用する図である。
【図３】デジタル放送受信装置が搭載された車両の移動経路と、放送エリアとの関係を模式的に示す図である
【図４】本発明の一実施形態に係るデジタル放送受信装置の動作例を示すフローチャートである。
【図５】本発明の一実施形態に係るデジタル放送受信装置の動作例を示すフローチャートである。
【発明を実施するための形態】
【００２１】
以下、本発明の一実施形態を図面に基づいて説明する。図１は、本実施形態に係るデジタル放送受信装置１の構成例を示す図である。デジタル放送受信装置１は、車両（移動体）に搭載され、デジタル放送を受信する装置である。図１に示すように、デジタル放送受信装置１は、４つのチューナ１０〜１３を備え、４つのチューナ１０〜１３はそれぞれ、４つのアンテナ１０ａ〜１３ａに接続されている。チューナ１０〜１３はそれぞれ、アンテナ１０ａ〜１３ａによって受信したデジタル放送の電波から所望のチャンネルに合致した受信周波数の放送波信号を選択的に抽出して出力する。なお、後述するプリセット処理の実行中は、チューナ１０〜１３のうち、チューナ１０〜１２の３台のチューナがデジタル放送の受信に利用される一方、チューナ１３がプリセット処理に専用的に利用される。
【００２２】
ダイバシティ合成部１４は、チューナ１０〜１３から放送波信号を入力し、入力した放送波信号をＯＦＤＭ（Orthogonal Frequency-Division Multiplexing）復調してトランスポートストリーム（Transport Stream：以下、ＴＳと記す）を生成する。さらに、ダイバシティ合成部１４は、各ＴＳの位相を調整して合成するダイバシティ合成を実行し、合成後のＴＳを出力する。なお、後述するプリセット処理の実行中は、３台のチューナ１０〜１２から入力する放送波信号に基づくダイバシティ合成が行われることになるため、プリセット処理を実行していない期間（４台のチューナ１０〜１３から入力する放送波信号に基づくダイバシティ合成が行われる期間）と比較して受信感度が悪い。
【００２３】
誤り訂正部１５は、ダイバシティ合成部１４からＴＳを入力し、入力したＴＳに対して、伝送路で発生した誤りの訂正を実行する。デマルチプレクサ部１６は、多重化されているＴＳを分離して音声ストリーム、映像ストリームおよびデータストリームを得る。そして、デマルチプレクサ部１６は、音声ストリームをオーディオデコーダ部１７に出力し、映像ストリームをビデオデコーダ部１８に出力し、データストリームをデータデコーダ部１９に出力する。ここで、データストリームには、放送局名、放送局の物理チャンネルなどのチャンネルに関する情報が含まれている。
【００２４】
オーディオデコーダ部１７は、入力した音声ストリームをデコードして音声信号として出力する。ビデオデコーダ部１８は、入力した映像ストリームをデコードして映像信号として出力する。データデコーダ部１９は、入力したデータストリームをデコードして制御データとして出力する。
【００２５】
Ｃ／Ｎ値検出部２０は、ダイバシティ合成部１４によりダイバシティ合成されたＴＳのＣ／Ｎ値（搬送波対雑音比）を検出する。
【００２６】
プリセット処理実行部２１は、間隔をあけてプリセット処理を実行する。後述するように、プリセット処理実行部２１がプリセット処理を実行すると、次にプリセット処理を実行するまでの間隔（待機時間）がプリセット処理間隔設定部２２から通知される。プリセット処理実行部２１は、プリセット処理を実行した後、プリセット処理間隔設定部２２から通知された間隔だけ待機し、その後に次のプリセット処理を実行する。
【００２７】
１回分のプリセット処理について詳述すると、プリセット処理実行部２１は、チューナ１３の受信周波数を下限の周波数から上限の周波数に至るまでスキャンし、Ｃ／Ｎ値が所定値以上のチャンネルを、現在位置において受信可能なチャンネルとして検出し、検出結果に基づいてプリセットリストを生成する。以下、この段階で生成されたプリセットリストを「仮リスト」という。プリセットリストは、受信可能なチャンネルごとに、物理チャンネル番号、受信周波数帯、その他のチャンネルに関する情報が対応付けて登録されたリストである。なお、プリセット処理実行部２１は、データデコーダ部１９から入力する制御データに基づいて、受信可能なチャンネルに関する情報を取得する。
【００２８】
仮リストの生成後、プリセット処理実行部２１は、生成した仮リストの内容と、プリセットメモリ２３に記憶されているプリセットリストの内容とが同じであるか否かを判定する。以下、この段階でプリセットメモリ２３に記憶されているプリセットリストを「本リスト」という。プリセット処理実行部２１は、内容が異なる場合は、生成した仮リストによって、プリセットメモリ２３に記憶されている本リストを上書き更新する。一方、プリセット処理実行部２１は、内容が同じ場合は、プリセットメモリ２３に記憶されている本リストを上書き更新しない。以上が１回分のプリセット処理である。プリセット処理が実行された直後にプリセットメモリ２３に記憶されたプリセットリストに登録されているチャンネルは、現時点（車両の現在位置）でデジタル放送受信装置１が受信可能なチャンネルである。なお、内容が同じか否かにかかわらず、仮リストによってプリセットメモリ２３に記憶された本リストを上書き更新する構成でもよい。
【００２９】
プリセット処理が終了すると、プリセット処理実行部２１は、以下の処理を行う。すなわち、プリセット処理実行部２１は、プリセット処理において仮リストの内容と本リストの内容が同じであったと判定した場合は、同一通知データをプリセット処理間隔設定部２２に出力する。同一通知データは、仮リストの内容と本リストの内容とが同じであったことを通知するデータである。同一通知データには、プリセット処理で検出された受信可能なチャンネルのそれぞれ（＝仮リストに登録されているチャンネルのそれぞれ）について、スキャンしたときに検出されたＣ／Ｎ値と、物理チャンネル番号との組み合わせが含まれている。
【００３０】
一方、プリセット処理実行部２１は、プリセット処理において仮リストの内容と本リストの内容が異なっていたと判定した場合は、相違通知データをプリセット処理間隔設定部２２に出力する。相違通知データは、仮リストの内容と本リストの内容が異なっていたことを通知するデータである。相違通知データには、同一通知データと同様、受信可能なチャンネルのそれぞれについて、スキャンしたときに検出されたＣ／Ｎ値と、物理チャンネル番号との組み合わせが含まれている。
【００３１】
チャンネル切替部２４は、図示しない操作部に対するユーザの操作に応じて、プリセットメモリ２３に記憶されたプリセットリスト（本リスト）に基づいてチューナ１０〜１３（プリセット処理の実行中はチャンネル１０〜１２）を制御し、受信するデジタル放送のチャンネルを切り替える。
【００３２】
プリセット処理間隔設定部２２は、プリセット処理実行部２１がプリセット処理を実行する度に、プリセット処理実行部２１が次にプリセット処理を実行するまでの間隔を設定し、設定した間隔をプリセット処理実行部２１に通知する。以下、プリセット処理間隔設定部２２の処理について、相違通知データを入力した場合（＝プリセット処理において仮リストの内容と本リストの内容とが相違していると判定された場合）と、同一通知データを入力した場合（＝プリセット処理において仮リストの内容と本リストの内容とが一致していると判定された場合）とに分けて詳述する。
【００３３】
＜相違通知データを入力した場合＞
相違通知データを入力した場合、プリセット処理間隔設定部２２は、当該データに含まれる情報に基づいて、今回のプリセット処理で生成された仮リストに登録されている各チャンネルのＣ／Ｎ値の平均値を算出する。各チャンネルのＣ／Ｎ値とは、プリセット処理でスキャンが行われたときに各チャンネルについて検出されたＣ／Ｎ値である。プリセット処理実行部２１は、算出した平均値を初回平均値記憶部２５に記憶する。以下、初回平均値記憶部２５に記憶された平均値を「初回平均値ＦＭ」という。このように、プリセット処理で生成された仮リストの内容と、プリセットメモリ２３に記憶された本リストの内容とが相違する場合は、仮リストが生成されたときの各チャンネルのＣ／Ｎ値の平均値が算出され、初回平均値記憶部２５に記憶される。
【００３４】
さらに、プリセット処理間隔設定部２２は、次にプリセット処理が行われるまでの間隔を予め定められた「初回間隔Ｘ１」に設定する。初回間隔Ｘ１の値は、後述する小間隔Ｙ３と同じか小間隔Ｙ３よりも小さい値とされる。プリセット処理間隔設定部２２は、初回間隔Ｘ１をプリセット処理実行部２１に通知する。プリセット処理実行部２１は、初回間隔Ｘ１の通知に応じて、今回のプリセット処理後、初回間隔Ｘ１だけ待機し、その後に次のプリセット処理を実行する。
【００３５】
＜同一通知データを入力した場合＞
同一通知データを入力した場合、プリセット処理間隔設定部２２は、当該データに含まれる情報に基づいて、今回のプリセット処理で生成された仮リストに登録されている各チャンネルのＣ／Ｎ値の平均値を算出する。以下、同一通知データの入力に応じて算出される平均値を「比較対象平均値ＨＭ」とする。次いで、プリセット処理間隔設定部２２は、初回平均値記憶部２５に記憶されている初回平均値ＦＭから、比較対象平均値ＨＭを減算することによって差分Ｄ１を算出する（式Ｓ１）。
＜式Ｓ１＞差分Ｄ１＝初回平均値ＦＭ−比較対象平均値ＨＭ
【００３６】
差分Ｄ１が５デシベルよりも小さい場合、プリセット処理間隔設定部２２は、次にプリセット処理が行われるまでの間隔を大間隔Ｙ１（ただし、大間隔Ｙ１＞中間隔Ｙ２＞小間隔Ｙ３。詳しくは後述）に設定し、プリセット処理実行部２１に通知する。なお、差分Ｄ１が５デシベルよりも小さいということは、比較対象平均値ＨＭの値が、初回平均値ＦＭの値以上か、初回平均値ＦＭの値よりも少しだけ小さいという状況である。従って、この場合、初回平均値ＦＭが算出されたときに行われたプリセット処理における各チャンネルの全体的な受信品質との比較で、今回行われたプリセット処理における各チャンネルの全体的な受信品質は、向上しているか、ほとんど劣化していない。
【００３７】
差分Ｄ１が５デシベル以上で、１０デシベルよりも小さい場合、プリセット処理間隔設定部２２は、次にプリセット処理が行われるまでの間隔を中間隔Ｙ２に設定し、プリセット処理実行部２１に通知する。なお、差分Ｄ１が５デシベル以上で、１０デシベルよりも小さいということは、比較対象平均値ＨＭが、初回平均値ＦＭ以上よりもある程度小さいという状況である。従って、この場合、初回平均値ＦＭが算出されたときに行われたプリセット処理における各チャンネルの全体的な受信品質との比較で、今回行われたプリセット処理における各チャンネルの全体的な受信品質は、ある程度劣化している。
【００３８】
差分Ｄ１が１０デシベル以上の場合、プリセット処理間隔設定部２２は、次にプリセット処理が行われるまでの間隔を小間隔Ｙ３に設定する。なお、差分Ｄ１が１０デシベル以上ということは、比較対象平均値ＨＭが初回平均値ＦＭよりもかなり小さいという状況である。従って、この場合、初回平均値ＦＭが算出されたときに行われたプリセット処理における各チャンネルの全体的な受信品質との比較で、今回行われたプリセット処理における各チャンネルの全体的な受信品質は、大きく劣化している。
【００３９】
差分Ｄ１と設定される間隔との関係は、以下の式Ｓ２が示すとおりである。
＜式Ｓ２＞
差分Ｄ１＜５デシベル→大間隔Ｙ１
５デシベル≦差分Ｄ１＜１０デシベル→中間隔Ｙ２
１０デシベル≦差分Ｄ１→小間隔Ｙ３
ただし、大間隔Ｙ１＞中間隔Ｙ２＞小間隔Ｙ３。また、小間隔Ｙ３≧初回間隔Ｘ１。
【００４０】
図２は、プリセット処理間隔設定部２２が設定する間隔の具体例の説明に利用する図である。図２において横軸は時間の経過を表しており、図中で右にいくほど、時間が経過している。
【００４１】
図２に示すように、タイミングＴ０でプリセット処理間隔設定部２２が相違通知データを入力したとする。この場合、プリセット処理間隔設定部２２は、タイミングＴ０で初回平均値ＦＭを算出して初回平均値記憶部２５に記憶する。ここで算出された初回平均値ＦＭの値は「２７デシベル」であったものとする。プリセット処理間隔設定部２２は、次にプリセット処理を実行するまでの間隔を初回間隔Ｘ１に設定する。この場合、タイミングＴ０から初回間隔Ｘ１だけ経過したタイミングＴ１で次のプリセット処理が実行される。
【００４２】
タイミングＴ１でプリセット処理間隔設定部２２が同一通知データを入力したとする。この場合、タイミングＴ１でプリセット処理間隔設定部２２は、比較対象平均値ＨＭを算出し、差分Ｄ１を算出する。ここで算出された初回平均値ＦＭの値が「３０デシベル」であり、差分Ｄ１が「−３デシベル」（２７デシベル−３０デシベル）であったとすると、プリセット処理間隔設定部２２は、間隔を大間隔Ｙ１に設定する。この場合、タイミングＴ１から大間隔Ｙ１だけ経過したタイミングＴ２で次のプリセット処理が実行される。
【００４３】
タイミングＴ２でプリセット処理間隔設定部２２が同一通知データを入力したとする。この場合、タイミングＴ２でプリセット処理間隔設定部２２は、比較対象平均値ＨＭを算出し、差分Ｄ１を算出する。ここで算出された比較対象平均値ＨＭの値が「２１デシベル」であり、差分Ｄ１が「６デシベル」（２７デシベル−２１デシベル）であったとすると、プリセット処理間隔設定部２２は、間隔を中間隔Ｙ２に設定する。この場合、タイミングＴ２から中間隔Ｙ２だけ経過したタイミングＴ３で次のプリセット処理が実行される。
【００４４】
タイミングＴ３でプリセット処理間隔設定部２２が同一通知データを入力したとする。この場合、タイミングＴ３でプリセット処理間隔設定部２２は、比較対象平均値ＨＭを算出し、差分Ｄ１を算出する。ここで算出された比較対象平均値ＨＭの値が「１５デシベル」であり、差分Ｄ１が「１２デシベル」（２７デシベル−１５デシベル）であったとすると、プリセット処理間隔設定部２２は、間隔を小間隔Ｙ３に設定する。この場合、タイミングＴ３から小間隔Ｙ３だけ経過したタイミングＴ４で次のプリセット処理が実行される。
【００４５】
図２の例の場合、タイミングＴ０〜タイミングＴ３の各タイミングで行われたプリセット処理で生成された仮リストの内容は同一ということである。また、タイミングＴ１〜タイミングＴ３へ向かって、仮リストの各チャンネルのＣ／Ｎ値の平均値が徐々に低下している。
【００４６】
以上のように、プリセット処理間隔設定部２２は、プリセット処理により生成された仮リストと本リストの内容とが同じ場合は、初回平均値ＦＭと比較対象平均値ＨＭとを比較し、初回平均値ＦＭに対する比較対象平均値ＨＭの劣化が大きいほど、次にプリセット処理を実行するまでの間隔を短く設定する。また、プリセット処理間隔設定部２２は、プリセット処理により生成された仮リストと本リストの内容とが異なる場合は、次にプリセット処理を実行するまでの間隔を、小間隔Ｙ３以下の値（各リストの内容が同一の場合に設定可能な値の範囲の下限値以下の値）とする。これにより以下の効果を奏する。
【００４７】
図３は、効果を説明するため、デジタル放送受信装置１が搭載された車両の移動経路と放送エリアとの関係を模式的に示す図である。図３において、符号ＡＲ１、ＡＲ２は、それぞれ、互いに異なる第１放送エリア、第２放送エリアを模式的に表している。第１放送エリアＡＲ１と第２放送エリアＡＲ２とは重複エリアＢＲ１で重複している。放送エリアとは、共通するチャンネルが受信可能なエリアであり、基本的には、同一の放送エリア内を車両が移動している場合には、プリセット処理により共通する内容の仮リストが生成される。しかしながら、一の放送エリア内を移動していた車両が、当該一の放送エリアと異なる他の放送エリア（当該一の放送エリアと当該他の放送エリアとの重複領域を含む）に進入した場合は、受信可能なチャンネルが変わり、プリセット処理を実行した場合に生成される仮リストの内容が変わることになる。
【００４８】
図３において、第１放送エリアＡＲ１内の破線の円で囲まれた領域Ｑ１は、第１放送エリアＡＲ１で受信可能なチャンネルを安定して高い受信品質で受信できる領域である。第１放送エリアＡＲ１において、領域Ｑ１を外れた領域では、第１放送エリアＡＲ１の外側（＝隣接する他の放送エリアに近づく側）に車両が向かうに従って、第１放送エリアＡＲ１で受信可能なチャンネルの受信品質が低下していく。
【００４９】
図３で示す環境において、領域Ｑ１内の位置Ｐ１に車両が位置しているときにプリセット処理が行われて初回平均値ＦＭが登録され、さらに、車両が位置Ｐ１を起点として移動経路ＫＲ１を通って領域Ｑ１内を移動したとする。この場合、移動経路ＫＲ１を移動中に実行されるプリセット処理で生成される仮リストのそれぞれの内容は同一である。また、プリセット処理が実行されたタイミングにおける各チャンネルのＣ／Ｎ値の平均値は、比較的高い値で安定的に推移する。従って、移動経路ＫＲ１を移動中は、各タイミングにおいて初回平均値ＦＭと比較対象平均値ＨＭとの差分Ｄ１が５デシベルよりも小さく、プリセット処理の間隔が大間隔Ｙ１となる（ただし、位置Ｐ１でプリセット処理が行われたときは、初回間隔Ｘ１が設定される）。
【００５０】
ここで、領域Ｑ１は、第１放送エリアＡＲ１で受信可能なチャンネルを安定的に受信することができる領域であり、この領域Ｑ１内を移動中は、プリセットリストの内容を更新する必要がない状況である。そして、本実施形態によれば、上記のとおり車両が領域Ｑ１内を走行している間は、プリセット処理の間隔が大間隔Ｙ１となるため、プリセット処理が不必要に頻繁に実行されることが抑制される。これにより、プリセット処理が頻繁に実行されることに伴う処理負荷の増大を抑制でき、また、チューナ１３がプリセット処理に専用的に使用される期間を短くすることができ受信感度の低下を抑制することができる。
【００５１】
その後、車両が領域Ｑ１を外れ、移動経路ＫＲ２を通って領域ＡＲ１内を移動したとする。移動経路ＫＲ２は、領域ＡＲ１の外側に向かって徐々に移動していき、重複領域ＢＲ１の境界に至る経路である。移動経路ＫＲ２は重複領域ＢＲ１に至っていないため、移動経路ＫＲ２を移動中に実行される各プリセット処理で生成される仮リストのそれぞれの内容は同一である。また、プリセット処理が実行されたタイミングにおける各チャンネルのＣ／Ｎ値の平均値は、徐々に低下していく。従って、移動経路ＫＲ２を移動中は、各タイミングにおいて初回平均値ＦＭと比較対象平均値ＨＭとの差分Ｄ１が５デシベルを超えて徐々に大きくなっていき、これに伴って、プリセット処理の間隔が大間隔Ｙ１から中間隔Ｙ２、小間隔Ｙ３へと推移する。
【００５２】
ここで、移動経路ＫＲ２を通って移動する場合、重複領域ＢＲ１（第２放送エリアＡＲ２に含まれる領域）にどんどん近づいている状況である。そして、重複領域ＢＲ１に近づけば近づくほど、車両が重複領域ＢＲ１に進入する可能性が高くなる。重複領域ＢＲ１に進入前に受信可能であったチャンネルと、進入後に受信可能となるチャンネルとは相違するため、重複領域ＢＲ１に進入した場合は、進入後できるだけ速やかにプリセットリストを、受信可能なチャンネルに対応するプリセットリストとする必要がある。以上を踏まえ、本実施形態によれば、重複領域ＢＲ１に近づくほど、換言すれば、車両が重複領域ＢＲ１に進入する蓋然性が高いほど、プリセット処理が実行される間隔が短くなるため、実際に重複領域ＢＲ１に進入したときに短い間隔でプリセット処理が行われるようにすることができ、重複領域ＢＲ１に進入したときに速やかにプリセット処理が行われるようにすることができる。
【００５３】
さらにその後、車両が重複領域ＢＲ１に進入し、移動経路ＫＲ３を通って重複領域ＢＲ１内を移動したとする。重複領域ＢＲ１は、第１放送エリアＡＲ１と第２放送エリアＡＲ２の双方に属する領域である。車両が移動経路ＫＲ３を通って移動した場合、双方の放送エリアのチャンネルの全体的な受信品質が低い中、第１放送エリアＡＲ１に係るチャンネルの受信品質は徐々に低下していき、第２放送エリアＡＲ２に係るチャンネルの受信品質は徐々に上昇していく。このため、移動経路ＫＲ３を移動中に実行されるプリセット処理で生成される仮リストの内容は一定とならず、変動する。従って、移動経路ＫＲ３を移動中は、基本的に、初回間隔Ｘ１でプリセット処理が実行される。初回間隔Ｘ１は小間隔Ｙ３以下の短い間隔であるため、重複領域ＢＲ１内を移動中は高い頻度でプリセット処理が実行されることになる。
【００５４】
このような構成のため、車両の移動に応じてプリセットリストの内容が短時間で変わっていく状況では、プリセット処理が高い頻度で行われ、プリセットメモリ２３に記憶されているプリセットリストに登録されたチャンネルと、実際に受信可能なチャンネルとをできるだけ一致した状態とすることができる。さらに、車両が重複領域ＢＲ１を外れて、第２放送エリアＡＲ２のみの領域に進入したときに、その時点では、初回間隔Ｘ１という短い間隔でプリセット処理が行われているため、重複領域ＢＲ１を外れた後に速やかにプリセット処理を行って、第２放送エリアＡＲ２で受信可能なチャンネルが登録されたプリセットリストへと更新することができる。
【００５５】
次に、デジタル放送受信装置１の動作例についてフローチャートを用いて説明する。図４のフローチャートＦＡは、プリセット処理を実行した直後のプリセット処理実行部２１の動作例を示すフローチャートである。
【００５６】
フローチャートＦＡに示すように、プリセット処理実行部２１は、直近で実行したプリセット処理のタイミングから、直近でプリセット処理間隔設定部２２から通知を受けた間隔が経過したか否かを監視する（ステップＳＡ１）。経過した場合（ステップＳＡ１：ＹＥＳ）、プリセット処理実行部２１は、プリセット処理を開始する（ステップＳＡ２）。プリセット処理実行部２１は、スキャンを行って（ステップＳＡ３）、仮リストを生成する（ステップＳＡ４）。
【００５７】
プリセット処理実行部２１は、仮リストの内容と、プリセットメモリ２３に記憶されている本リストの内容とが同じであるか否かを判定する（ステップＳＡ５）。異なる場合（ステップＳＡ５：ＮＯ）、プリセット処理実行部２１は、仮リストによって、本リストを上書き更新する（ステップＳＡ６）。ステップＳＡ６の処理後、プリセット処理実行部２１は処理手順をステップＳＡ７へ移行しプリセット処理を終了する。同じ場合（ステップＳＡ５：ＹＥＳ）、プリセット処理実行部２１は、処理手順をステップＳＡ７へ移行しプリセット処理を終了する。
【００５８】
プリセット処理の終了後、プリセット処理実行部２１は、仮リストの内容と本リストの内容が同じであったか否かを判定する（ステップＳＡ８）。同じ場合（ステップＳＡ８：ＹＥＳ）、プリセット処理実行部２１は、同一通知データをプリセット処理間隔設定部２２に出力し（ステップＳＡ９）、処理手順をステップＳＡ１１へ移行する。異なる場合（ステップＳＡ８：ＮＯ）、プリセット処理実行部２１は、相違通知データをプリセット処理間隔設定部２２に出力し（ステップＳＡ１０）、処理手順をステップＳＡ１１へ移行する。
【００５９】
ステップＳＡ１１において、プリセット処理実行部２１は、プリセット処理間隔設定部２２から間隔の通知を受けたか否かを監視する。通知を受けた場合（ステップＳＡ１１：ＹＥＳ）、プリセット処理実行部２１は、再び、プリセット処理間隔設定部２２から通知を受けた間隔が経過したか否かの監視を開始する（ステップＳＡ１２）。
【００６０】
図５のフローチャートＦＢは、相違通知データを入力した場合のプリセット処理間隔設定部２２の動作例を示すフローチャートである。フローチャートＦＢに示すように、プリセット処理間隔設定部２２は、相違通知データを入力する（ステップＳＢ１）。次いで、プリセット処理間隔設定部２２は、相違通知データに含まれる情報に基づいて、今回のプリセット処理で生成された仮リストに登録されている各チャンネルのＣ／Ｎ値の平均値（初回平均値ＦＭ）を算出する（ステップＳＢ２）。次いで、プリセット処理間隔設定部２２は、初回平均値ＦＭを、初回平均値記憶部２５に記憶する（ステップＳＢ３）。次いで、プリセット処理間隔設定部２２は、次にプリセット処理が行われるまでの間隔を「初回間隔Ｘ１」に設定する（ステップＳＢ４）。次いで、プリセット処理間隔設定部２２は、プリセット処理間隔設定部２２は、初回間隔Ｘ１をプリセット処理実行部２１に通知する（ステップＳＢ５）。
【００６１】
図５のフローチャートＦＣは、同一通知データを入力した場合のプリセット処理間隔設定部２２の動作例を示すフローチャートである。フローチャートＦＣに示すように、プリセット処理間隔設定部２２は、同一通知データを入力する（ステップＳＣ１）。次いで、プリセット処理間隔設定部２２は、同一通知データに含まれる情報に基づいて、今回のプリセット処理で生成された仮リストに登録されている各チャンネルのＣ／Ｎ値の平均値（比較対象平均値ＨＭ）を算出する（ステップＳＣ２）。次いで、プリセット処理間隔設定部２２は、初回平均値ＦＭから、比較対象平均値ＨＭを減算することによって差分Ｄ１を算出する（ステップＳＣ３）。
【００６２】
次いで、プリセット処理間隔設定部２２は、差分Ｄ１に応じて、間隔を設定する（ステップＳＣ４）。上述したように、プリセット処理間隔設定部２２は、初回平均値ＦＭに対する比較対象平均値ＨＭの劣化が大きいほど、間隔の値を短くする。本実施形態の例では、「大間隔Ｙ１＞中間隔Ｙ２＞小間隔Ｙ３」の下、プリセット処理間隔設定部２２は、差分Ｄ１が５デシベルよりも小さい場合は大間隔Ｙ１を設定し、差分Ｄ１が５デシベル以上で１０デシベルよりも小さい場合は中間隔Ｙ２を設定し、差分Ｄ１が１０デシベル以上の場合は小間隔Ｙ３を設定する。次いで、プリセット処理間隔設定部２２は、設定した間隔をプリセット処理実行部２１に通知する（ステップＳＣ５）。
【００６３】
なお、上記実施形態は、本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【００６４】
例えば、上述した実施形態では、受信品質値としてＣ／Ｎ値を使用したが、受信品質値にＢＥＲ等の他の指標を用いてもよい。
【００６５】
また、上述した実施形態では、プリセット処理間隔設定部２２は、仮リストの内容と本リストの内容とが同じである場合は、仮リストの内容と同じ内容の過去に生成されたプリセットリストのうち、最初に生成されたプリセットに係る平均値（初回平均値ＦＭ）と、仮リストに係る平均値（比較対象平均値ＨＭ）とを比較していた。この点に関し、プリセット処理間隔設定部２２は、仮リストの内容と本リストの内容とが同じである場合、今回のプリセット処理の１つ前に行われたプリセット処理で仮リストが生成されたときの各チャンネルのＣ／Ｎ値の平均値と、今回のプリセット処理で生成された仮リストの各チャンネルのＣ／Ｎ値の平均値とを比較する構成でもよい。
【００６６】
また、上述した実施形態では、プリセット処理間隔設定部２２が同一通知データを入力した場合に設定可能な間隔は、大間隔Ｙ１、中間隔Ｙ２および小間隔Ｙ３の３段階であった。ただし、設定可能な間隔の段階は何段階であってもよく、また、初回平均値ＦＭに対する比較対象平均値ＨＭの劣化が大きいほど間隔が小さくなるように所定の計算式で算出する構成でもよい。
【符号の説明】
【００６７】
１  デジタル放送受信装置
２１  プリセット処理実行部
２２  プリセット処理間隔設定部
【図１】
2019186633.tif 000003
【図２】
2019186633.tif 000004
【図３】
2019186633.tif 000005
【図４】
2019186633.tif 000006
【図５】
2019186633.tif 000007